(57)【要約】           【課題】  犬が散歩中に排出する糞の処理に手間を掛けず、衛生面に配慮し機能性に富んだ携帯糞処理用具を提供する。          【解決手段】  犬の糞を落下前に袋に受けるよう形成された、溝を有し袋を備え付ける保持部と、袋を固定する伸縮自在の固定部材と、保持部を支え折り畳める柄部とから構成され、筒状の部材でカバーを施した可動性の線材を用い、大きさの異なる輪状に形成した部材双方の側面を合わせ、更に複数本重ね、紐状部材でらせんに巻いた完成部材を保持部とし、保持部は移動自在の持ち手部材を備え付けた、伸縮自在の固定部材を有し、伸縮自在の固定部材は交換が可能であり、柄部は線材を編み綯うことで重さと湾曲に耐える機能を有し、更にペンライト固定機能の部材と仮の袋の口塞ぎ用の着脱機能付きテープの部材とを取り付け可能とし、また保持部は輪の形状の変形を柄部は形状の変形を可能とした構造を持つことを特徴とした携帯糞処理用具。 【選択図】  図１
2010158199.tif 000002
【特許請求の範囲】
【請求項１】
筒状の部材でカバーを施した可動性の線材を共通線とし、交差し相対性に形成した、袋を支える輪と、袋を支える輪より控えた全周をもつ柄を支え尚かつ柄を留める機能を有した輪、の双方で一つの部材を作り、その部材を複数重ね保持部とし、保持部の袋を支える部位をくぐり抜ける指と、保持部の線材を交差させた部位をくぐり貫ける指を持ち、柄部の部位とし、袋を支える輪状の全周より控えた全周を有する伸縮自在の輪状の紐状部材を有することを特徴とする携帯糞処理用具。
【請求項２】
前記記載の輪状の保持部の形と柄部の形を変形可能にし、更に重量とサイズの選択を自由にしたことを特徴とする請求項１に記載の携帯糞処理用具。
【請求項３】
前記記載の保持部は複数の輪状部材を斉しく重ね紐状部材を使用し輪状部材を交互にらせんに巻くことで、輪状部材の揺らぎを止め、また伸縮自在の紐状部材を保持部で止める働きをし、更に重さに耐える保持部を可能としたことを特徴とする請求項１及び請求項２に記載の携帯糞処理用具。
【請求項４】
前記記載の複数の指は保持部を支える機能と折りたためる機能の双方を備え、また可動性の線材を編み綯うことで柄部としての効力を発揮することを特徴とする請求項１乃至請求項３に記載の携帯糞処理用具。
【請求項５】
前記記載の伸縮自在の紐状部材は袋保持部の袋の固定を可能とするもので移動自在の持ち手部材を備え、その持ち手部材は伸縮自在の紐状部材を補佐する機能を持ち、更に紐状部材は交換が可能であることを特徴とする請求項１乃至請求項４に記載の携帯糞処理用具。
【請求項６】
前記記載の柄部にペンライト固定機能の紐状部材と着脱機能付きテープの紐状部材の備え付けを可能としたことを特徴とする請求項１乃至請求項５に記載の携帯糞処理用具。
【発明の詳細な説明】
【技術分野】
【０００１】
本発明は犬の散歩時の糞の排泄処理用具に関するものであり、特に糞を受ける携帯糞処理用具に関係するものである。
【背景技術】
【０００２】
従来より、犬の散歩中にする糞の後始末は、地上に落ちた糞をミニスコップで取ったり、ビニール袋で掴み取る方法で処理をするが、これらの方法ではどんなにきれいに取っても路上や草地には臭いや汚れが残る。これらの処理方法は愛犬家でも非衛生的で心理的に煩わしさがあり、またマナーを守らない責任感に欠ける飼い主も見受けられ、そのまま放置される現場を眼にすることがある。公衆衛生上また社会道徳の観点からも非常に良くないことである。
【０００３】
このような汚く嫌な糞の処理の改善策として、数々の先行技術が提案されているが、それらは複雑な構造に作られており長期に亘り使用を重ねると、諸々の部品が金属疲労等を起し、充分機能しなくなる恐れがあると考えられる。いずれの文献も使い勝手等がよいとはいえず工夫の余地があるように思われる。（例えば特許文献１〜３）。
【０００４】
【特許文献１】特開２００７−６８４８３    号公報。
【特許文献２】特開２００３−３１００８４  号公報。
【特許文献３】特開２００３−１５８９３７  号公報。
【発明の開示】
【発明が解決しようとする課題】
【０００５】
そこで解決しようとする課題は機能的に使い勝手がよく、衛生面に優れ、構造が複雑でなく長期の使用にも耐え壊れにくく長持ちをし、コンパクトに折り畳め、お洒落で、更に製造面でもコストを押さえた、携帯糞処理用具を提供することを目的とする。
【課題を解決するための手段】
【０００６】
請求項１に係る発明は、筒状の部材でカバーを施した可動性の線材を共通線とし、交差し相対性に形成した、袋を支える輪と、袋を支える輪より控えた全周をもつ柄を支え尚かつ柄を留める機能を有した輪、の双方で一つの部材を作り、その部材を複数重ね保持部とし、保持部の袋を支える部位をくぐり抜ける指と、保持部の線材を交差させた部位をくぐり貫ける指を持ち、柄部の部位とし、袋を支える輪状の全周より控えた全周を有する伸縮自在の輪状の紐状部材を有することを特徴とする携帯糞処理用具であることを要旨とする。
【０００７】
請求項２に係る発明は、前記記載の輪状の保持部の形と柄部の形を変形可能にし、更に重量とサイズの選択を自由にしたことを特徴とする請求項１に記載の携帯糞処理用具であることを要旨とする。
【０００８】
請求項３に係る発明は、前記記載の保持部は複数の輪状部材を斉しく重ね紐状部材を使用し輪状部材を交互にらせんに巻くことで、輪状部材の揺らぎを止め、また伸縮自在の紐状部材を保持部で止める働きをし、更に重さに耐える保持部を可能としたことを特徴とする請求項１及び請求項２に記載の携帯糞処理用具であることを要旨とする。
【０００９】
請求項４に係る発明は、前記記載の複数の指は保持部を支える機能と折りたためる機能の双方を備え、また可動性の線材を編み綯うことで柄部としての効力を発揮することを特徴とする請求項１乃至請求項３に記載の携帯糞処理用具であることを要旨とする。
【００１０】
請求項５に係る発明は、前記記載の伸縮自在の紐状部材は袋保持部の袋の固定を可能とするもので移動自在の持ち手部材を備え、その持ち手部材は伸縮自在の紐状部材を補佐する機能を持ち、更に紐状部材は交換が可能であることを特徴とする請求項１乃至請求項４に記載の携帯糞処理用具であることを要旨とする。
【００１１】
請求項６に係る発明は、前記記載の柄部にペンライト固定機能の紐状部材と着脱機能付きテープの紐状部材の備え付けを可能としたことを特徴とする請求項１乃至請求項５に記載の携帯糞処理用具であることを要旨とする。
【発明の効果】
【００１２】
本発明は以上のような従来の欠点を鑑み、衛生面や機能面にも優れしかもお洒落なセンスで形成され、構造も複雑でないので壊れにくく、経済的である。本発明処理具は愛犬家のニーズに対応するように考え作られており、わずらわしい糞処理を楽にするために使いがってのよい構造に仕上げており、街中から糞の公害をなくし住みやすい生活環境のために、この糞処理用具を上記の課題を解決する目的のために提供する。
【発明を実施するための最良の形態】
【００１３】
本発明の携帯糞処理用具を具体化した実施の形態について以下図面を用いて説明する。
【実施例１】
【００１４】
可動性の線材はアルミ針金に、筒状の部材は筒状の紐に、伸縮自在の輪状の紐状部材はゴム紐に、ペンライト固定機能の紐状部材はペンライト止め用紐に、着脱機能付きテープの
紐状部材は着脱機能付きテープ紐に、移動自在の持ち手部材は金具に、紐状部材はカラー
リボンと記載し説明をする。
【００１５】
輪状保持部として針金二本  筒状の紐二本  カラーリボン  ゴム紐一本  金具
柄部としてアルミ針金三本  筒状の紐三本  着脱機能付きテープ紐適宜  ペンライト止め紐適宜を使用し作成した。
【００１６】
図３、図４、に示すように
筒状の紐１０にアルミ針金１１を通すことで直接金属に触れずに作業が出来、冷たい感触をなくした。またアルミ針金は微調整が可能で加工に適している。８の字を書くようにアルミ針金を丸くして、袋を支える輪と柄を固定する輪を作り、同じ形状の輪状４，５を作る。この方法を用いることで袋を受ける部位と柄の取り付けや柄をたためる機能を可能にしている。
【００１７】
図１、図５、図６、に示すように
出来あがった輪状４，５の２本を斉しく重ね、カラーリボン７を上下交互にらせん状に巻き進め、この作業で保持部が形成され次の作業へ繋がる。重ねたアルミ針金４，５の横面に凹凸面ができるので外周部の凹部分にゴム紐８が収まりその際、らせんに巻いたカラーリボン７が働き保持部の輪状の内側にゴム紐８が入る動きを止める。
【００１８】
図１、図７、図８、図９、に示すように
指部６を三本、筒状の紐１０に通しておき、保持部２のアルミ針金が交差した部位に柄部３の指部６をくぐり貫かせ、また袋保持部２の部位に柄部３となる指部６を左右２箇所にくぐり抜かせる。指部６の方向が同じであることが重要であり、指部６を編み綯うことで柄部３としての効力が発揮できる。袋保持部２の線上にゴム紐８をおき、保持部２を指部６で挟む際に同時に挟む。ゴム紐８は後から交換も出来き、またゴム紐８を容易に着脱出来るように金具９を事前にゴム紐に取り付けておく。保持部２と柄部３はパーツが交わっているのみなので、柄部３の付け根から折り畳めて収納可能な構造に出来ている。
【００１９】
図９、図１０、図１１に示すように
夜間の散歩時の手元明かりを可能にするペンライト止め用紐１２と二度の便意も同じ袋で
済む様、仮の袋の口塞ぎを可能にした着脱機能付きテープ紐１３を柄部作業時に編み込む
ことを可能にした。
【００２０】
上記の方法で作られた糞処理具のサイズは大まかであるが、総重量は９５グラム、糞受け部は直径約１２センチ、柄部は約２０センチになった。重量やサイズを自由に出来る。
【００２１】
可動性の部材の材質はアルミとしたが他にも自然素材、植物、金属、石油系副産物等を加工することで形成が可能であり、例えば植物の蔦でも出来る。抜き型を作れば金属や木屑で、また竹を曲げる技術を使えば竹でも可能であり、木工技術を利用して木材でも加工で
きる。プラスティックや樹脂でもできる。  形状記憶合金は収納時には形を崩し、使う時は丸くして使える、またリング状に加工した磁石と金属を使うなどの方法も可能である。また針金を重ねて一つの保持部にする方法も、紐を巻く他に接地面に接着材を使うとか、
針と糸を使い筒状の紐の接地面を縫う方法もある。輪状保持部の形成も初めに筒状の布に入れてから針金を曲げることで同じように出来上がり、輪の形も、たまご型やハート型にもでき、柄部も形状を弓型や、くの字型に変形が可能であり、柄部の針金の本数を変える
こともできる。針金の柔軟さで、一筆書き等で保持部を作り上げることも可能である。ま
た糞を受けた袋に竹炭の粉末を入れることで消臭効果も期待できる。
【産業上の利用可能性】
【００２２】
従来のものに比べ本発明の犬の糞処理具はコンパクトで折りたたみ機能があり、色づかいがお洒落で商品価値があり、消費者のニーズに応えられる商品である。また作業所も広い場所を必要とせず、製造コストも材料のみで少なくて済み、女性や福祉関係の方にも作り方の説明が理解でき、手先が動くなら作れる。作業は手先を使うので身体のためにもよい効果が期待でき、特別な資格や高度な頭脳、特殊な技術がなくても大丈夫であり、一般の人にも収入に繋げることが可能と思われ、社会貢献にも寄与することができる。
【図面の簡単な説明】
【００２３】
【図１】糞処理用具  展開図。
【図２】糞処理用具  折りたたみ図。
【図３】筒状の紐に針金を挿入した図。
【図４】針金を８の字型に形成した図。
【図５】糞処理用具の袋保持部の断面図。
【図６】複数重ねた輪状部材をリボンでらせん巻きした図。
【図７】柄部と保持部の合体部  表。
【図８】柄部と保持部の合体部  裏。
【図９】針金を三つ編みにして作成した柄部の図。
【図１０】着脱機能付きテープ紐使用前の袋  側面図。
【図１１】着脱機能付きテープ紐使用後の袋  側面図。
【符号の説明】
【００２４】
１  糞処理用具本体。
２  糞処理用具袋保持部。
３  糞処理用具柄部。
４  輪状アルミ針金  ８の字型Ａ。
５  輪状アルミ針金  ８の字型Ｂ。
６  指部。
７  カラーリボン。
８  ゴム紐。
９  金具。
１０  筒状の紐。
１１  アルミ針金。
１２  ペンライト止め用紐。
１３  着脱機能付きテープ紐。
１４  ビニール袋。
【図１】
2010158199.tif 000003
【図２】
2010158199.tif 000004
【図３】
2010158199.tif 000005
【図４】
2010158199.tif 000006
【図５】
2010158199.tif 000007
【図６】
2010158199.tif 000008
【図７】
2010158199.tif 000009
【図８】
2010158199.tif 000010
【図９】
2010158199.tif 000011
【図１０】
2010158199.tif 000012
【図１１】
2010158199.tif 000013
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
袋を備え付ける保持部と、その保持部を支える柄部と、袋を固定する固定部材とから構成され、前記保持部は、筒状の部材でカバーを施した可動性の線材を共通線とし、交差し相対性に形成した、袋を支える第１の輪と、前記第１の輪より短い全周をもち、前記柄部を支え尚かつ前記柄部を留める機能を有した第２の輪との双方からなる部材を少なくとも２つ重ねて形成され、
前記柄部は、前記保持部の第１の輪をくぐり抜ける指と、前記保持部の線材を交差させた部位をくぐり貫ける指とを持ち、
前記固定部材は、前記保持部の第１の輪よりも短い全周を有する伸縮自在の輪状の部材から形成されることを特徴とする携帯糞処理用具。
【請求項２】
前記保持部が紐状部材をさらに含み、該紐状部材は、前記保持部の前記少なくとも２つの部材の第１の輪を交互にらせんに巻くことで前記第１の輪間の揺らぎを止め、前記固定部材を前記保持部の外周で留め、更に備え付ける袋の重さに耐える強度を付与し、
前記固定部材は、備え付けられる袋を固定して落下を押さえ、取り外し時の行為を容易にし、交換可能であり、前記固定部材はさらに、該固定部材の着脱を容易にする移動自在の持ち手部材を備えていることを特徴とする請求項１に記載の携帯糞処理用具。
【請求項３】
前記柄部の両指を編み綯うことで重さと湾曲に耐える柄部を可能とし、更に両指は前記保持部を支える機能と折りたためる機能の双方を備え、またペンライト固定機能の紐状部材と着脱機能付きテープの紐状部材の備え付けを可能とし、
また前記保持部の形と前記柄部の形とが変形可能であることを特徴とする請求項１乃至請求項２に記載の携帯糞処理用具。
【手続補正２】
【補正対象書類名】明細書
【補正対象項目名】全文
【補正方法】変更
【補正の内容】
【発明の詳細な説明】
【技術分野】
【０００１】
本発明は犬の散歩時の糞の排泄処理用具に関するものであり、特に糞を受ける携帯糞処理用具に関係するものである。
【背景技術】
【０００２】
従来より、犬の散歩中にする糞の後始末は、地上に落ちた糞をミニスコップで取ったり、ビニール袋で掴み取る方法で処理をするが、これらの方法ではどんなにきれいに取っても路上や草地には臭いや汚れが残る。これらの処理方法は愛犬家でも非衛生的で心理的に煩わしさがあり、またマナーを守らない責任感に欠ける飼い主も見受けられ、そのまま放置される現場を眼にすることがある。公衆衛生上また社会道徳の観点からも非常に良くないことである。
【０００３】
このような汚く嫌な糞の処理の改善策として、数々の先行技術が提案されているが、いずれの文献も使い勝手等がよいとはいえず工夫の余地があるように思われる。（例えば特許文献１〜３）。
【０００４】
【特許文献１】特開２００７−６８４８３    号公報。
【特許文献２】特開２００３−３１００８４  号公報。
【特許文献３】特開２００３−１５８９３７  号公報。
【発明の開示】
【発明が解決しようとする課題】
【０００５】
そこで解決しようとする課題は愛犬家が切望する機能的に使い勝手がよく、衛生面に優れ、構造が複雑でなく、長期の使用にも耐え長持ちをし、コンパクトに納まる、携帯糞処理用具を提供することを目的とする。
【課題を解決するための手段】
【０００６】
請求項１に係る発明は、袋を備え付ける保持部とその保持部を支える柄部と、袋を固定する固定部材から構成され、筒状の部材でカバーを施した可動性の線材を共通線とし、交差し相対性に形成した、袋を支える輪と、袋を支える輪より控えた全周をもつ柄を支え尚かつ柄を留める機能を有した輪の双方で一つの部材を作り、その部材を複数重ね保持部とし、保持部の袋を支える部位をくぐり抜ける指と、保持部の線材を交差させた部位をくぐり貫ける指を持ち、柄部の部位とし、袋を支える輪状の全周より控えた全周を有する伸縮自在の輪状の固定部材を有することを特徴とする携帯糞処理用具であることを要旨とする。
【０００７】
請求項２に係る発明は、前記記載の保持部は複数の輪状部材を斉しく重ね、その輪状部材に紐状部材を交互にらせんに巻くことで、輪状部材の揺らぎを止め、またその紐状部材は
伸縮自在の固定部材を保持部で止める働きをし、更に備え付ける袋の重さに耐える保持部を可能とし、また伸縮自在の固定部材は備え付ける袋を固定し落下を押さえ、取り外し時の行為を容易にし、更に伸縮自在の固定部材本体の交換も可能とし、また伸縮自在の固定部材は移動自在の持ち手部材を備え、その持ち手部材は伸縮自在の固定部材を補佐する機能を持つことを特徴とする請求項１に記載の携帯糞処理用具であることを要旨とする。                                                                      
【０００８】
請求項３に係る発明は、前記記載の可動性の線材である指を編み綯うことで重さと湾曲に耐える柄部を可能とし、更に複数の指は保持部を支える機能と折りたためる機能の双方を備え、またペンライト固定機能の紐状部材と着脱機能付きテープの紐状部材の備え付けを可能とし、また輪状の保持部の形と柄部の形を変形可能としたことを特徴とする請求項１乃至請求項２に記載の携帯糞処理用具であることを要旨とする。
【発明の効果】
【０００９】
本発明は以上のような従来の欠点を鑑み、衛生面や機能面にも優れしかもお洒落なセンスで形成され、構造も複雑でないので壊れにくく、経済的である。本発明処理具は愛犬家のニーズに対応するように考え作られており、わずらわしい糞処理を楽にするために使いがってのよい構造に仕上げており、街中から糞の公害をなくし住みやすい生活環境のために、この糞処理用具を上記の課題を解決する目的のために提供する。
【発明を実施するための最良の形態】
【００１０】
本発明の携帯糞処理用具を具体化した実施の形態について以下図面を用いて説明する。
【実施例１】
【００１１】
可動性の線材はアルミ針金に、筒状の部材は筒状の紐に、伸縮自在の輪状の固定部材はゴム紐に、ペンライト固定機能の紐状部材はペンライト止め用紐に、着脱機能付きテープの
紐状部材は着脱機能付きテープ紐に、移動自在の持ち手部材は金具に、紐状部材はカラー
リボンと記載し説明をする。
【００１２】
輪状保持部として針金二本  筒状の紐二本  カラーリボン  ゴム紐一本  金具
柄部としてアルミ針金三本  筒状の紐三本  着脱機能付きテープ紐適宜  ペンライト止め紐適宜を使用し作成した。
【００１３】
図３、図４、に示すように
筒状の紐１０にアルミ針金１１を通すことで直接金属に触れずに作業が出来、冷たい感触をなくした。またアルミ針金は微調整が可能で加工に適している。８の字を書くようにア
ルミ針金を丸くして、袋を支える輪と柄を固定する輪を作り、同じ形状の輪状４，５を作
る。この方法を用いることで袋を受ける部位と柄の取り付けや柄をたためる機能を可能に
している。
【００１４】
図１、図５、図６、に示すように
出来あがった輪状４，５の２本を斉しく重ね、カラーリボン７を上下交互にらせん状に巻き進め、この作業で保持部が形成され次の作業へ繋がる。重ねたアルミ針金４，５の横面に凹凸面ができるので外周部の凹部分にゴム紐８が収まりその際、らせんに巻いたカラーリボン７が働き保持部の輪状の内側にゴム紐８が入る動きを止める。
【００１５】
図１、図７、図８、図９、に示すように
指部６を三本、筒状の紐１０に通しておき、保持部２のアルミ針金が交差した部位に柄部３の指部６をくぐり貫かせ、また袋保持部２の部位に柄部３となる指部６を左右２箇所にくぐり抜かせる。指部６の方向が同じであることが重要であり、指部６を編み綯うことで柄部３としての効力が発揮できる。袋保持部２の線上にゴム紐８をおき、保持部２を指部６で挟む際に同時に挟む。ゴム紐８は後から交換も出来き、またゴム紐８を容易に着脱出来るように金具９を事前にゴム紐に取り付けておく。保持部２と柄部３はパーツが交わっているのみなので、柄部３の付け根から折り畳めて収納可能な構造に出来ている。
【００１６】
図９、図１０、図１１に示すように
夜間の散歩時の手元明かりを可能にするペンライト止め用紐１２と二度の便意も同じ袋で
済む様、仮の袋の口塞ぎを可能にした着脱機能付きテープ紐１３を柄部作業時に編み込む
ことを可能にした。
【００１７】
上記の方法で作られた糞処理具のサイズは大まかであるが、総重量は９５グラム、糞受け部は直径約１２センチ、柄部は約２０センチになった。
【００１８】
可動性の部材の材質はアルミとしたが他にも自然素材、植物、金属、石油系副産物等を加工することで形成が可能であり、例えば植物の蔦でも出来る。抜き型を作れば金属や木屑で、また竹を曲げる技術を使えば竹でも可能であり、木工技術を利用して木材でも加工で
きる。プラスティックや樹脂でもできる。  形状記憶合金は収納時には形を崩し、使う時は丸くして使える、またリング状に加工した磁石と金属を使うなどの方法も可能である。また保持部に紐をらせんに巻く他に保持部の接地面に接着材を使うとか、針と糸を使い筒状の紐の接地面を縫う方法もある。輪状保持部の形成も初めに筒状の布に入れてから針金を曲げることで同じように出来上がり、輪の形も、たまご型やハート型にもでき、柄部も形状を弓型や、くの字型に変形が可能であり、柄部の針金の本数を変えることも可能である。アルミ針金の柔軟さを利用し、一筆書き等で保持部を作り上げることも可能である。また糞を受けた袋に竹炭の粉末を入れることで消臭効果も期待できる。
【産業上の利用可能性】
【００１９】
従来のものに比べ本発明の犬の糞処理用具はコンパクトで折りたたみ機能があり、色使い
がお洒落で、消費者のニーズに応えられる商品であり、また作業の場所も狭くて済み、コストも少なくて、女性や福祉関係の人でも作り方の説明が理解でき、手先が動くなら作れ
る。作業は手先を使うので身体のリハビリにもよい効果が期待でき、特別な資格や高度な頭脳、特殊な技術がなくても大丈夫であり、一般の人の収入に繋げることが可能と思われ、社会貢献にも寄与することができる。
【図面の簡単な説明】
【００２０】
【図１】糞処理用具  展開図。
【図２】糞処理用具  折りたたみ図。
【図３】筒状の紐に針金を挿入した図。
【図４】針金を８の字型に形成した図。
【図５】糞処理用具の袋保持部の断面図。
【図６】複数重ねた輪状部材をリボンでらせん巻きした図。
【図７】柄部と保持部の合体部  表。
【図８】柄部と保持部の合体部  裏。
【図９】針金を三つ編みにして作成した柄部の図。
【図１０】着脱機能付きテープ紐使用前の袋  側面図。
【図１１】着脱機能付きテープ紐使用後の袋  側面図。
【符号の説明】
【００２１】
１  糞処理用具本体。
２  糞処理用具袋保持部。
３  糞処理用具柄部。
４  輪状アルミ針金  ８の字型Ａ。
５  輪状アルミ針金  ８の字型Ｂ。
６  指部。
７  カラーリボン。
８  ゴム紐。
９  金具。
１０  筒状の紐。
１１  アルミ針金。
１２  ペンライト止め用紐。
１３  着脱機能付きテープ紐。
１４  ビニール袋。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
袋を備え付け溝を有する保持部と、その保持部を支え折り畳める柄部と、袋を固定する固定部材とから構成されたことを特徴とする携帯糞処理用具。
【請求項２】
前記保持部は、筒状の部材でカバーを施した可動性の線材を用い、袋を支える第１の輪と、前記第１の輪より短い全周をもち前記柄部を支え尚かつ前記柄部を留める機能を有した第２の輪との双方からなる部材を少なくとも２つ重ねて形成され、また前記保持部は紐状部材をさらに含み、該紐状部材は、前記保持部の前記少なくとも２つの部材の第１の輪を交互にらせんに巻くことで前記第１の輪間の揺らぎを止め、前記固定部材を前記保持部の外周で留め、更に備え付ける袋の重さに耐える保持部の強度を付与しことを特徴とする請求項１に記載の携帯糞処理用具。
【請求項３】
前記柄部は、前記保持部の第１の輪をくぐり抜ける指と、前記柄部を支える部位をくぐり貫ける指とを持ち、  前記柄部の両指を編み綯うことで重さと湾曲に耐える柄部を可能とし、更に両指は前記保持部を支える機能と折りたためる機能の双方を備え、
更にペンライト固定機能の部材と着脱機能付きテープの部材の備え付けを可能とし、また前記保持部の輪の形状の変形と前記柄部の形状の変形とが可能であることを特徴とする請求項１乃至請求項２に記載の携帯糞処理用具。
【請求項４】
前記固定部材は、前記保持部の第１の輪よりも短い全周を有する伸縮自在の部材から形成され、前記固定部材は、備え付けられる袋を固定し落下を押さえ、取り外し時の行為を容易にし、交換可能であり、前記固定部材はさらに、前記固定部材の着脱を容易にする移動自在の持ち手部材を備えていることを特徴とする請求項１乃至請求項３に記載の携帯糞処理用具。
【手続補正２】
【補正対象書類名】明細書
【補正対象項目名】全文
【補正方法】変更
【補正の内容】
【発明の詳細な説明】
【技術分野】
【０００１】
本発明は犬の散歩時の糞の排泄処理用具に関するものであり、特に糞を受ける携帯糞処理用具に関係するものである。
【背景技術】
【０００２】
従来より、犬の散歩中にする糞の後始末は、地上に落ちた糞をミニスコップで取ったり、ビニール袋で掴み取る方法で処理をするが、これらの方法ではどんなにきれいに取っても路上や草地には臭いや汚れが残る。これらの処理方法は愛犬家でも非衛生的で心理的に煩わしさがあり、またマナーを守らない責任感に欠ける飼い主も見受けられ、そのまま放置される現場を眼にすることがある。公衆衛生上また社会道徳の観点からも非常に良くないことである。
【０００３】
このような汚く嫌な糞の処理の改善策として、数々の先行技術が提案されているが、いずれの文献も使い勝手等がよいとはいえず愛犬家の期待に沿うには、まだ工夫の余地があるように思われる。（例えば特許文献１〜３）。
【０００４】
【特許文献１】特開２００７−６８４８３    号公報。
【特許文献２】特開２００３−３１００８４  号公報。
【特許文献３】特開２００３−１５８９３７  号公報。
【発明の開示】
【発明が解決しようとする課題】
【０００５】
そこで解決しようとする課題は愛犬家が切望する機能的に使い勝手がよく、衛生面に優れ、構造が複雑でなく、長期の使用にも耐え長持ちをし、コンパクトに納まる、携帯糞処理用具を提供することを目的とする。
【課題を解決するための手段】
【０００６】
本発明にかかる一つの態様は、袋を備え付け溝を有する保持部と、その保持部を支え折り畳める柄部と、袋を固定する固定部材とから構成されたことを特徴とする携帯糞処理用具
であることを要旨とする。
【０００７】
本発明にかかる他の態様は、前記保持部は、筒状の部材でカバーを施した可動性の線材を用い、袋を支える第１の輪と、前記第１の輪より短い全周をもち前記柄部を支え尚かつ前記柄部を留める機能を有した第２の輪との双方からなる部材を少なくとも２つ重ねて形成され、また前記保持部は紐状部材をさらに含み、該紐状部材は、前記保持部の前記少なくとも２つの部材の第１の輪を交互にらせんに巻くことで前記第１の輪間の揺らぎを止め、前記固定部材を前記保持部の外周で留め、更に備え付ける袋の重さに耐える保持部の強度を付与しことを特徴とする請求項１に記載の携帯糞処理用具であることを要旨とする。                                                                      
【０００８】
本発明にかかるその他の態様は、前記柄部は、前記保持部の第１の輪をくぐり抜ける指と、前記柄部を支える部位をくぐり貫ける指とを持ち、  前記柄部の両指を編み綯うことで重さと湾曲に耐える柄部を可能とし、更に両指は前記保持部を支える機能と折りたためる機能の双方を備え、
更にペンライト固定機能の部材と着脱機能付きテープの部材の備え付けを可能とし、また前記保持部の輪の形状の変形と前記柄部の形状の変形とが可能であることを特徴とする請求項１乃至請求項２に記載の携帯糞処理用具であることを要旨とする。
【０００９】
本発明にかかるその他の態様は、前記固定部材は、前記保持部の第１の輪よりも短い全周を有する伸縮自在の部材から形成され、前記固定部材は、備え付けられる袋を固定し落下を押さえ、取り外し時の行為を容易にし、交換可能であり、前記固定部材はさらに、前記固定部材の着脱を容易にする移動自在の持ち手部材を備えていることを特徴とする請求項１乃至請求項３に記載の携帯糞処理用具であることを要旨とする。
【発明の効果】
【００１０】
本発明は以上のような従来の欠点を鑑み、衛生面や機能面にも優れしかもお洒落で、シンプルで壊れにくく出来ており、愛犬家のニーズに対応する様考え作られており、わずらわしい糞処理を楽にするために使いがってのよい構造に仕上げ、街中から糞の公害をなくし住みやすい生活環境のために、この糞処理用具を上記の課題を解決する目的のために提供する。
【発明を実施するための最良の形態】
【００１１】
本発明の携帯糞処理用具を具体化した実施の形態について以下図面を用いて説明する。
【実施例１】
【００１２】
可動性の線材はアルミ針金に、筒状の部材は筒状の紐に、伸縮自在の輪状の固定部材はゴム紐に、ペンライト固定機能の紐状部材はペンライト止め用紐に、着脱機能付きテープの
紐状部材は着脱機能付きテープ紐に、移動自在の持ち手部材は金具に、紐状部材はカラー
リボンと記載し説明をする。
【００１３】
輪状保持部として針金二本  筒状の紐二本  カラーリボン  ゴム紐一本  金具
柄部としてアルミ針金三本  筒状の紐三本  着脱機能付きテープ紐適宜  ペンライト止め紐適宜を使用し作成した。
【００１４】
図３、図４、に示すように
筒状の紐１０にアルミ針金１１を通すことで直接金属に触れずに作業が出来、冷たい感触をなくした。またアルミ針金は微調整が可能で加工に適している。８の字を書くようにア
ルミ針金を丸くして、袋を支える輪と柄を固定する輪を作り、同じ形状の輪状４，５を作
る。この方法を用いることで袋を受ける部位と柄の取り付けや柄をたためる機能を可能に
している。
【００１５】
図１、図５、図６、に示すように
出来あがった輪状４，５の２本を斉しく重ね、カラーリボン７を上下交互にらせん状に巻き進め、この作業で保持部が形成され次の作業へ繋がる。重ねたアルミ針金４，５の横面に凹凸面ができるので外周部の凹部分にゴム紐８が収まりその際、らせんに巻いたカラーリボン７が働き保持部の輪状の内側にゴム紐８が入る動きを止める。
【００１６】
図１、図７、図８、図９、に示すように
指部６を三本、筒状の紐１０に通しておき、保持部２のアルミ針金が交差した部位に柄部３の指部６をくぐり貫かせ、また袋保持部２の部位に柄部３となる指部６を左右２箇所にくぐり抜かせる。指部６の方向が同じであることが重要であり、指部６を編み綯うことで柄部３としての効力が発揮できる。袋保持部２の線上にゴム紐８をおき、保持部２を指部６で挟む際に同時に挟む。ゴム紐８は後から交換も出来き、またゴム紐８を容易に着脱出来るように金具９を事前にゴム紐に取り付けておく。保持部２と柄部３はパーツが交わっているのみなので、柄部３の付け根から折り畳めて収納可能な構造に出来ている。
【００１７】
図９、図１０、図１１に示すように
夜間の散歩時の手元明かりを可能にするペンライト止め用紐１２と二度の便意も同じ袋で済む様、仮の袋の口塞ぎを可能にした着脱機能付きテープ紐１３を柄部作業時に編み込むことを可能にした。
【００１８】
可動性の部材の材質はアルミとしたが他にも自然素材、植物、金属、石油系副産物等を加工することで形成が可能であり、例えば植物の蔦でも出来る。抜き型を作れば金属や木屑で、また竹を曲げる技術を使えば竹でも可能であり、木工技術を利用して木材でも加工で
きる。プラスティックや樹脂でもできる。  形状記憶合金は収納時には形を崩し、使う時は丸くして使える、またリング状に加工した磁石と金属を使うなどの方法も可能である。また保持部に紐をらせんに巻く他に保持部の接地面に接着材を使うとか、針と糸を使い筒状の紐の接地面を縫う方法もある。輪状保持部の形成も初めに筒状の布に入れてから針金を曲げることで同じように出来上がり、輪の形も、たまご型やハート型にもでき、柄部も形状を弓型や、くの字型に変形が可能であり、柄部の針金の本数を変えることも可能である。アルミ針金の柔軟さを利用し、一筆書き等で保持部を作り上げることも可能である。また糞を受けた袋に竹炭の粉末を入れることで消臭効果も期待できる。
【産業上の利用可能性】
【００１９】
従来のものに比べ本発明の犬の糞処理用具はコンパクトで折りたたみ機能があり、色使い
がお洒落で、消費者のニーズに応えられる商品であり、また作業の場所も狭くて済み、女性や福祉関係の人でも作り方の説明が理解でき、手先が動くなら作れる。特別な資格や高度な頭脳、特殊な技術がなくても大丈夫であり、一般の人の収入に繋げることが可能と思われる。
【図面の簡単な説明】
【００２０】
【図１】糞処理用具  展開図。
【図２】糞処理用具  折りたたみ図。
【図３】筒状の紐に針金を挿入した図。
【図４】針金を８の字型に形成した図。
【図５】糞処理用具の袋保持部の断面図。
【図６】複数重ねた輪状部材をリボンでらせん巻きした図。
【図７】柄部と保持部の合体部  表。
【図８】柄部と保持部の合体部  裏。
【図９】針金を三つ編みにして作成した柄部の図。
【図１０】着脱機能付きテープ紐使用前の袋  側面図。
【図１１】着脱機能付きテープ紐使用後の袋  側面図。
【符号の説明】
【００２１】
１    糞処理用具本体。
２    糞処理用具袋保持部。
３    糞処理用具柄部。
４    輪状アルミ針金  ８の字型Ａ。
５    輪状アルミ針金  ８の字型Ｂ。
６    指部。
７    カラーリボン。
８    ゴム紐。
９    金具。
１０  筒状の紐。
１１  アルミ針金。
１２  ペンライト止め用紐。
１３  着脱機能付きテープ紐。
１４  ビニール袋。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
筒状の部材でカバーを施した可動性の線材を用い、袋を支える第一の輪と、第一の輪より短い全周を持ち柄部を支え尚かつ柄部を留める機能を有した第二の輪との双方からなる部材を少なくとも２つ重ねて形成された保持部は、更に紐状部材を含み、該紐状部材は、前記保持部の前記少なくとも２つの部材の第一の輪を交互に螺旋に巻くことで前記第一の輪間の揺らぎを止め、固定部材を保持部の外周で留め、更に備え付ける袋の重さに耐える保持部の強度を付与したことを特徴とする携帯糞処理用具。  
【請求項２】
前記柄部は、前記保持部の第一の輪をくぐり抜ける指と、前記柄部を支える部位をくぐり貫ける指とを持ち、前記柄部の両指を編み綯うことで重さと湾曲に耐える
柄部とし、更に両指は前記保持部を支える機能と折りたためる機能の双方を備え、更にペンライト固定機能の部材と仮の袋の口塞ぎを可能にした着脱機能付きテープの部材とを備え付け、また前記保持部の輪の形状の変形と前記柄部の形状の変形とが可能であることを特徴とする請求項１に記載の携帯糞処理用具。    
【請求項３】
前記固定部材は前記保持部の第一の輪よりも短い全周を有する伸縮自在の部材から形成され、前記固定部材は、備え付けられる袋を固定し落下を押さえ、取り外し時の行為を容易にし、交換可能であり、前記固定部材はさらに、前記固定部材の着脱を容易にする移動自在の持ち手部材を備えていることを特徴とする請求項１又は請求項２に記載の携帯糞処理用具。                                       
【手続補正２】
【補正対象書類名】明細書
【補正対象項目名】全文
【補正方法】変更
【補正の内容】
【発明の詳細な説明】
【技術分野】
【０００１】
本発明は犬の散歩時の糞の排泄処理用具に関するものであり、特に糞を受ける携帯糞処理用具に関係するものである。
【背景技術】
【０００２】
従来より、犬の散歩中にする糞の後始末は、地上に落ちた糞をミニスコップで取ったり、ビニール袋で掴み取る方法で処理をするが、これらの方法ではどんなにきれいに取っても路上や草地には臭いや汚れが残る。これらの処理方法は愛犬家でも非衛生的で心理的に煩わしさがあり、またマナーを守らない責任感に欠ける飼い主も見受けられ、そのまま放置される現場を眼にすることがある。公衆衛生上また社会道徳の観点からも非常に良くないことである。
【０００３】
このような汚く嫌な糞の処理の改善策として、数々の先行技術が提案されているが、いずれの文献も使い勝手等がよいとはいえず愛犬家の期待に沿うには、まだ工夫の余地があるように思われる。（例えば特許文献１〜３）。
【０００４】
【特許文献１】特開２００７−６８４８３    号広報。
【特許文献２】特開２００３−３１００８４  号広報。
【特許文献３】特開２００３−１５８９３７  号広報。
【発明の開示】
【発明が解決しようとする課題】
【０００５】
そこで解決しようとする課題は愛犬家が切望する機能的に使い勝手がよく、衛生面に優れ、構造が複雑でなく、長期の使用にも耐え長持ちをし、コンパクトに納まる、携帯糞処理用具を提供することを目的とする。
【課題を解決するための手段】
【０００６】
本発明にかかる一つの態様は、筒状の部材でカバーを施した可動性の線材を用い、袋を支える第一の輪と、第一の輪より短い全周を持ち柄部を支え尚かつ柄部を留める機能を有した第二の輪との双方からなる部材を少なくとも２つ重ねて形成された保持部は、更に紐状部材を含み、該紐状部材は、前記保持部の前記少なくとも２つの部材の第一の輪を交互に螺旋に巻くことで前記第一の輪間の揺らぎを止め、固定部材を保持部の外周で留め、更に備え付ける袋の重さに耐える保持部の強度を付与したことを特徴とした携帯糞処理用具であることを要旨とする。
【０００７】
本発明にかかる他の態様は、前記柄部は、前記保持部の第一の輪をくぐり抜ける指と、前記柄部を支える部位をくぐり貫ける指とを持ち、前記柄部の両指を編み綯うことで重さと湾曲に耐える柄部とし、更に両指は前記保持部を支える機能と折りたためる機能の双方を備え、更にペンライト固定機能の部材と仮の袋の口塞ぎを可能にした着脱機能付きテープの部材とを備え付け、また前記保持部の輪の形状の変形と前記柄部の形状の変形とが可能であることを特徴とする請求項１に記載の携帯糞処理用具であることを要旨とする。    
【０００８】
本発明にかかる他の態様は、前記固定部材は前記保持部の第一の輪よりも短い全周を有する伸縮自在の部材から形成され、前記固定部材は、備え付けられる袋を固定し落下を押さえ、取り外し時の行為を容易にし、交換可能であり、前記固定部材はさらに、前記固定部材の着脱を容易にする移動自在の持ち手部材を備えていることを特徴とする請求項１又は請求項２に記載の携帯糞処理用具であることを要旨とする。
【発明の効果】
【０００９】
本発明は以上のような従来の欠点を鑑み、衛生面や機能面にも優れしかもお洒落で、シンプルで壊れにくく出来ており、愛犬家のニーズに対応し煩わしい糞処理を楽にするために使いがってのよい構造に仕上げ、街中から糞の公害をなくし住みやすい生活環境のために、この糞処理用具を上記の課題を解決する目的のために提供する。
【発明を実施するための最良の形態】
【００１０】
本発明の携帯糞処理用具を具体化した実施の形態について以下図面を用いて説明する。
【実施例１】
【００１１】
可動性の線材はアルミ針金に、筒状の部材は筒状の紐に、伸縮自在の輪状の固定部材はゴム紐に、ペンライト固定機能の紐状部材はペンライト止め用紐に、着脱機能付きテープの紐状部材は着脱機能付きテープ紐に、移動自在の持ち手部材は金具に、紐状部材はカラーリボンと記載し説明する。  
【００１２】
輪状保持部として針金二本  筒状の紐二本  カラーリボン  ゴム紐一本  金具
柄部としてアルミ針金三本  筒状の紐三本  着脱機能付きテープ紐適宜  ペンライト止め紐適宜を使用し作成した。
【００１３】
図３、図４に示すように
筒状の紐１０にアルミ針金１１を通すことで直接金具に触れずに作業が出来、冷たい感触をなくした。またアルミ針金は微調製が可能で加工に適している。８の字を書くようにアルミ針金を丸くして、袋を支える輪と柄を固定する輪を作り、同じ形状の輪状４、５を作る。この方法を用いることで袋を受ける部位と柄の取り付けや柄をたためる機能を可能にしている。
【００１４】
図１、図５、図６、に示すように
出来あがった輪状４，５の２本を斉しく重ね、カラーリボン７を上下交互に螺旋状に巻き進め、この作業で保持部が形成され次の作業へ繋がる。重ねたアルミ針金４，５の横面に凹凸面ができるので外周部の凹部分にゴム紐８が収まりその際、螺旋に巻いたカラーリボン７が働き保持部の輪状の内側にゴム紐８が入る動きを止める。
【００１５】
図１、図７、図８、図９、に示すように
指部６を三本、筒状の紐１０に通しておき、保持部２のアルミ針金が交差した部位に柄部３の指部６をくぐり貫かせ、また袋保持部２の部位に柄部３となる指部６を
左右２箇所にくぐり抜かせる。指部６の方向が同じであることが重要であり、指部６を編み綯うことで柄部３としての効力が発揮できる。袋保持部２の線上にゴム紐８をおき、保持部２を指部６で挟む際に同時に挟む。ゴム紐８は後から交換も出来、またゴム紐８を容易に着脱出来るように金具９を事前にゴム紐に取り付けておく。保持部２と柄部３はパーツが交わっているのみなので、柄部３は折り畳めて収納可能な構造に出来ている。
【００１６】
図９、図１０、図１１、に示すように
夜間の散歩時の手元明かりを可能にするペンライト止め用紐１２と二度の便意も同じ袋で済む様、仮の袋の口塞ぎを可能にした着脱機能付きテープ紐１３を柄部作業時に編み込むことを可能にした。
【産業上の利用可能性】
【００１７】
可動性の部材の材質はアルミとしたが他にも自然素材、植物、金属、石油系副産物を加工することで形成が可能であり、例えばプラスティックや樹脂でもできる。また糞を受けた袋に竹炭の粉末を入れることで消臭効果も期待できる。
従来のものに比べ本発明の犬の糞処理用具は、コンパクトで使いがってがよく、色使いがお洒落で愛犬家のニーズに応じられる糞処理用具である。
【図面の簡単な説明】
【００１８】
【図１】糞処理用具  展開図。
【図２】糞処理用具  折りたたみ図。
【図３】筒状の紐に針金を挿入した図。
【図４】針金を８の字型に形成した図。
【図５】糞処理用具の袋保持部の断面図。
【図６】複数重ねた輪状部材をリボンで螺旋巻きした図。
【図７】柄部と保持部の合体部  表。
【図８】柄部と保持部の合体部  裏。
【図９】針金を三つ編みにして作成した柄部の図。
【図１０】着脱機能付きテープ紐使用前の袋  側面図。
【図１１】着脱機能付きテープ紐使用後の袋  側面図。
【符号の説明】
【００１９】
１  糞処理用具本体。
２  糞処理用具袋保持部。
３  糞処理用具柄部。
４  輪状アルミ針金  ８の字型Ａ。
５  輪状アルミ針金  ８の字型Ｂ。
６  指部。
７  カラーリボン。
８  ゴム紐。
９  金具。
１０  筒状の紐。
１１  アルミ針金。
１２  ペンライト止め用紐。
１３  着脱機能付きテープ紐。
１４  ビニール袋。